(57)【要約】【課題】  特定の目標達成のための先人らの知識を、より高い効率で広く伝達するため、具体的な行動やその順序関係、依存関係など関連する目標達成行動計画諸情報そのものを流通させ、ユーザーがそれを実現しやすい自分の環境に合わせた独自の計画とできるようにし、計画実施にあたっては、その活動を支援する情報提供や進捗公開による情報交換をための仕組みの提供、関連製品やサービスの入手など、目標達成のためのサービスを実現する。【解決手段】  プロジェクト・ネットワーク図等による表現を主体とした、様々な目標達成のための具体的な行動計画情報そのものを、知的所有権情報を保持した上で、電子ファイルの形態で流通させるシステムと、それらの目標達成行動計画データを読み込み、それら情報をユーザーが自分の計画に取り込み、独自の目標達成行動計画情報とすることを実現し、それらの目標達成行動計画への情報提供他、様々な支援を行うソフトウェアによって構成される。【選択図】図１
2007328752.tif 000002
【特許請求の範囲】
【請求項１】
特定の目標を達成するための具体的な行動計画やそれら行動の順序関係、依存関係の情報、着眼点、注意点などの知識を広く伝え、さらなる知識集約を実現するために目標達成行動計画情報そのものを流通させ、それら目標達成の支援をユーザーに提供する方法であって、
（ａ）特定の目標の全部又は一部について、一般的な文章や図、動画等の情報の他、プロジェクト・ネットワーク図（図４）、ガントチャート（図５）、タイムチャート（図６）および手順リスト（図７）、チェックリスト（図８）、アウトライン・トピック（図９）、各種フロー図（図１０）を主体とした表現によって、当該目標を達成したいユーザーに対し、高い効率で、その実現方法の伝達を行うと同時に、最初に当該情報を作成した作成者の情報を保持した上で、それら目標達成行動計画情報にユーザー独自の情報も加える事ができ、ユーザー自身のための目標達成行動計画作成の多くを自動化するとともに、当該目標および目標達成計画等実施にあたっての助けとなる関連機関や企業などの連絡先や広告宣伝などの情報や進捗管理促進情報の保持、提供を各サーバーと連携して行うソフトウェア；
（ｂ）（ａ）のソフトウェアとネットワークを通じて、当該目標達成計画実施にあたっての助けとなる関連機関や企業などの広告宣伝の提供者と要求者との仲介について、それら、広告宣伝情報の提供および広告宣伝配信情報に基づいた課金情報により、当該広告宣伝掲載者への課金と同時に当該目標達成行動計画情報提供者への利益配分を可能にするサーバー・システム；
（ｃ）前記目標達成行動計画情報の全部または一部を保持した電子ファイルの検索および評価フィードバック情報提示機能を持った配信、販売を行うデータ配信・販売システム；
（ｄ）前記目標達成行動計画作成および実施に関連した商品およびサービスの配信、販売を行う商品配信・販売システム；
（ｅ）（ａ）のソフトウェアとネットワークを通じて情報交換を行い、作成された目標達成行動計画データと進捗情報を公開したり、進捗状況を観察し、進捗管理促進のための情報提供を行う進捗管理促進システム；
ユーザーは、図２のフロー図に示すように、（ｃ）から入手した電子ファイルの情報を（ａ）のソフトウエアによって、そのまま、あるいは細分化した上で自分自身の目標達成行動計画データに、最初に当該情報を作成した作成者の情報を保持した上で取り込むことができ、ユーザーは自分自身の計画データに取り込むことによって、ユーザー各自のニーズや置かれている状況に最適化した目標達成のための行動計画を容易に作成することができ、さらにこれを（ｃ）のデータ配信・販売システムに登録することで、さまざまな状況に対応した目標達成のための行動計画が配信できることから、さらに広く多くのユーザーに適用できるものとなり、それぞれのデータを作成したユーザーへは、広まった行動計画情報の広告宣伝提供による利益配分が増加していく可能性を高める事ができるため、より洗練された効果的な目標達成行動計画の作成が促進されるようになり、様々なユーザーが、個々の様々な目標を達成するための計画を入手したり、図３のフロー図に示すように、自分自身の目標達成行動計画を具体的に実施するにあたっての進捗情報を（ｅ）によって公開し、他のユーザーと情報交換を行ったり、進捗の管理や促進の情報提供を受けながら行動を進める事ができる方法および、上記によって、目標達成行動計画作成能力や目標達成行動計画実行能力を高めることを可能とする方法。
【請求項２】
請求項１のシステム全体での関連情報含む目標達成行動計画情報の媒体として、特定の目標を達成するために必要とされる行動の順序関係、依存関係を明確にし、着眼点、注意点など計画や実施にあたって実施者が理解する必要のある情報や当該目標および目標達成行動計画等実施にあたって助けとなる関連機関や企業などの連絡先や広告宣伝などの情報の他、必要とされる資源や期間などを設定して計画を作成し、その全部または一部をモジュール化した電子ファイルとすることによって、同様の当該目標を達成したい他ユーザーに対しての具体的な目標達成行動計画案についての高効率な伝達を行うことができると同時に、それら目標達成行動計画情報について最初に当該目標達成行動計画情報を作成した作成者の知的所有権情報を保持した上で、それら目標達成行動計画情報を受け取って再利用するユーザー独自の情報も加える事ができ、ユーザー自身のための計画作成の期間計算やコスト計算、ヒストグラム作成、資源別計画作成など、多くを自動化するとともに、あらかじめ再利用者のデータ・モジュールや当該ユーザーが目標達成行動計画作成時などに登録した、当該目標および目標達成行動計画等実施にあたって助けとなる関連機関や企業などの連絡先や広告宣伝などの関連情報も、請求項１（ｂ）記載のサーバー・システムとの通信によって、最新の情報提示が行える形で保持、提供を行うことで、計画実行の支援を行うとともに、請求項１（ｅ）記載の進捗管理促進システムとの通信によって、目標達成行動計画進捗状況の公開やそれに伴う情報交換、進捗の管理、促進が可能なソフトウェア
【請求項３】
請求項２のソフトウェアにおいて、ユーザーが作成した目標達成行動計画の一部または全部を繰り返し他のユーザーが自分の目標達成行動計画案に一つのまとまりとして取り込み、当該ユーザー向けに最適な目標達成行動計画となるよう編集できる仕組みを、元となる目標達成行動計画の作成ユーザーの知的所有権情報を維持したまま実施できるものとして、目標達成行動計画そのものを流通できる再利用可能な実体とする方法
【請求項４】
請求項２のソフトウェアとネットワークを通じて通信を行い、当該目標達成行動計画データ・モジュールに保持されている連絡先や広告宣伝などの関連情報について、ユーザーへ最新の情報を提供し、同時に当該情報が有料配信のもの、当該広告宣伝が参照されたことによって、広告主からの計画データ作成者に対する支払が発生するものなどの集計および各種処理を行い、情報利用者への課金処理や広告宣伝情報提供者への広告宣伝主からの支払処理などを実現する広告宣伝情報等配信・課金サーバー
【請求項５】
請求項２のソフトウェアによって作成され、その内容を参照、修正できる目標達成行動計画データ・モジュール・ファイルや目標達成行動計画データ・ファイルをユーザーの目的に合わせて指定または検索したり、それらデータについての各種説明情報や参考情報、ユーザーのフィードバック情報などを提供すると共に、無料配信または有料での配信を可能とする目標達成行動計画データのネット販売サーバー
【請求項６】
請求項２のソフトウェアを通じて、その目標達成行動計画の作成または実施にあたって必要とされる商品またはサービスについて、それら商品についての各種説明情報や参考情報、ユーザーのフィードバック情報などを提供すると共に、無料配布または有料販売を実現する目標達成行動計画関連商品のネット販売サーバー
【請求項７】
請求項２のソフトウェアによって作成された目標達成行動計画データ・ファイルの全部または一部をネットワークを通じて交信、格納し、当該ユーザーの要求に応じて具体的な目標達成行動計画と目標達成行動計画進捗状況を公開し、それに伴う情報交換を実現したり、実施している目標達成行動計画の進捗を観察、進捗促進のための情報提供などを行う進捗管理促進サーバー
【請求項８】
請求項２のソフトウェアと請求項６のサーバーにおいて、ユーザーが作成した目標達成行動計画や進捗情報を広く公開し、ユーザー同士の情報交換を実現すると同時に、目標達成行動計画とその進捗情報を観察し、進捗管理や進捗促進のための情報を配信することによってユーザーの目標達成行動計画作成能力や目標達成行動計画実行能力を全体として高める方法
【請求項９】
請求項２から８に記載の目標達成行動計画データを作成するシステム、連絡先情報や広告情報の配信システム、目標達成行動計画データの検索・販売システム、目標達成行動計画データの実施のために必要な商品またはサービスを無料配布や有料販売を行うネット販売システム、そして進捗管理促進サーバーとしてコンピュータを動作させるためのプログラムを記録したコンピュータ読取り可能な記録媒体。
【発明の詳細な説明】
【技術分野】
【０００１】  本発明は、先人の具体的な目標達成行動計画作成および実施のための知識やスキルなどについて、プレシデンス・ダイアグラム法などのネットワーク形式による順序関係表現を主体として、様々な表現による目標達成行動計画作成、表示、情報提供を実現したソフトウエアと各種サーバーとを連携させて、；
１）  ユーザーに対して具体的な目標達成行動に必要な最新の連絡先等の情報や広告宣伝情報等の提供を行うとともに；
２）  広告課金サーバーによる目標達成行動計画作成者に対する利益分配の仕組みを実現し、；
３）  ユーザーに対して目標達成計画の作成や実施に必要な関連商品やサービスの無償配布や販売を行い；
４）  これらによって容易にユーザーが自分の目標達成行動計画に再利用できる形での目標達成行動計画そのものを全部または一部について、流通／販売サーバーを通じての無償または有償による流通／販売の仕組みを実現し、；
５）  ユーザーの目標達成計画の実行にあたっては、必要に応じて進捗管理促進サーバーを通じてユーザーが目標達成行動計画の進捗状況の公開やそれに伴う情報交換を可能とし、さらに進捗管理促進サーバーの機能が個々のユーザーの目標達成行動計画の進捗を観察し、管理促進のための情報提供を行っていく事で、その実現可能性の向上やユーザーの目標達成行動計画作成能力、実行能力の向上を実現する、；
上記方法。
【背景技術】
【０００２】  従来、先人達の目標達成に関する計画や進捗などの情報は、書籍などによって一般に入手したり、講演会やそれらの映像資料などによって入手していくものである。また、一般に入手が容易な計画作成用コンピューター・ソフトウエアは、ガントチャート形式での計画作成を主体としていて、作成された計画と実績情報のコンピューター・データ・ファイルとしての配布によって、個々のユーザーが自分の所有するコンピューター・ソフトウエアによって編集を行い、再利用することが可能となっている。
【発明の開示】
【発明が解決しようとする課題】
【０００３】  しかし、従来の目標達成行動計画やその実施に関する書籍や映像資料などの情報では、読者らが自分たちの計画の一部として取り込んで容易に再利用できるというものではなかった。また、一般に入手可能な計画作成用ソフトウエアは、あくまでガントチャート形式での計画作成を主体とするもののみであって、順序関係の特定や個々のアクティビティの分解度などについて、より深い思慮を行う事が可能なネットワーク形式での計画作成用ソフトウエアは一般に入手可能なものとして存在しておらず、さらに先人の質の高い目標達成計画やその実行に関する再利用が容易なネットワーク形式ほか様々な表現形式での目標達成計画情報そのものの流通やその行動計画作成、実施に関しての支援を行う仕組みは実現されていない。本発明はこのような、目標達成行動計画作成能力や計画実施能力の向上につながる情報伝達を改善し、さまざまな個人や組織、さまざまな業界、さまざまな業務において、計画段階から実行段階での行動や成果物の品質向上や目標達成能力向上、目標達成可能性向上を課題とする。
【課題を解決するための手段】
【０００４】  この課題を解決するための請求項１および請求項２から９の発明は、その機構全体によって、単なる手順や期間設定のみならず、実施段階で具体的に必要となる連絡先や関連業務を実施している業者の広告宣伝などの最新情報を含め、様々な表現方法で先人達の情報を集積した計画情報そのものをユーザーが再利用容易なデータ形態で流通させることによって様々な目標達成行動計画にユーザーが接する機会を増大させ、目標達成行動計画の再利用によって、容易に高品質なユーザー独自の目標達成行動計画を作成でき、さらにそれらをユーザーが実行していくにあたって必要な商品やサービスを提供し、その進捗状況公開の実現や進捗管理促進情報提供機能によって、ユーザーの目標達成行動計画実行能力や目標達成行動計画作成能力の向上を実現する。
【発明の効果】
【０００５】  請求項１および２から８までの機構によって実現される、計画情報に関するビジネスモデルによって、世界中の個人や組織を対象として、目標達成への大切なステップである計画に関する具体的な手段と情報提供を通じての直接的な計画スキルの向上や具体的な関係機関、連絡先情報の提示、および、進捗公開による他者進捗状況との比較や観察および情報交換、進捗促進情報の提供によって、計画実施においてのスキルや効率も直接的、間接的に向上させる事ができるため、人類全体の目標達成能力を高めることができる。【０００６】  同時に、目標達成行動計画作成や実施のための知識不足、情報不足やスキル不足による失敗の減少、そして様々な目標達成までの道筋が示されること、進捗状況が公開されて他者と比較できること、進捗に応じた進捗促進情報の提供を行う事などによって、不特定多数のユーザーに対し、将来自分が達成したい事についての道筋や可能性を伝達することができるため、広く社会全体のモチベーションの向上を実現することができる。
【発明を実施するための最良の形態】
【０００７】  図１に示すように、請求項１および請求項２から８までの機構を実現するシステムは、目標達成行動計画を購入するユーザーと目標達成行動計画を配布、販売するユーザーおよびこれら両方を行うユーザー、広告宣伝を配信する広告宣伝配信者と目標達成行動計画配布、流通システムと広告宣伝情報配信、課金システムと目標達成行動計画進捗情報を保持し、公開や情報交換を行ったり、システムからの進捗管理促進情報の提供などを行う進捗管理促進サーバーとで構成される。
【産業上の利用可能性】
【０００８】  本発明に係るビジネスモデルは、個人や組織のあらゆる活動を対象に、失敗の大きな要因である、目標達成行動計画作成および実施にあたっての情報不足、思慮不足を改善し、さらに計画とその実行についての商品、サービスの提供や情報共有とともに進捗管理促進の情報提供を実現するため、極めて高い産業上の利用可能性を有する。
【図面の簡単な説明】
【０００９】
【図１】本発明を実現するシステムの構成図である
【図２】目標達成行動計画作成のフロー図
【図３】目標達成行動計画実施のフロー図
【図４】ネットワーク形式による計画表現の例である
【図５】ガントチャート形式による計画表現の例である
【図６】タイムチャート形式による計画表現の例である
【図７】手順リスト形式による計画表現のフォーマット例である
【図８】チェックリスト形式による計画表現および実施確認方法のフォーマット例である
【図９】アウトライン・トピック形式による計画検討および表現の例である
【図１０】各種フロー図の一例、産能大式業務フロー図による計画表現の例である
【図１１】ユーザーが作成している計画に、目標達成行動計画をネット上で無償配布または販売するサーバーから入手した目標達成行動計画をそのまま取り込んだ例をネットワーク形式の図であらわしたものである
【図１２】ユーザーが作成している計画に、目標達成行動計画をネット上で無償配布または販売するサーバーから入手した目標達成行動計画を分解しながら取り込んだ例をネットワーク形式の図であらわしたものである
【符号の説明】
【００１０】  １１０  目標達成行動計画実行ユーザー向け端末
１２０  目標達成行動計画作成および実行ユーザー向け端末
１３０  目標達成行動計画作成ユーザー向け端末
１４０  目標達成行動計画公開、情報交換、進捗管理促進サーバー
１５０  目標達成行動計画計画時、実施時関連商品およびサービス販売サーバー
１６０  組込広告宣伝情報配信、課金サーバー
１７０  目標達成行動計画情報配布、販売サーバー
２０５  目標達成行動計画作成の開始
２１０  目標達成行動計画作成ソフトウエアを起動する
２１５  目標達成行動計画を新規に作成するか、無償配布・販売サーバーから入手するかを判断する
２２０  目標達成行動計画を新規に作成
２２５  ユーザーの目標に適合する目標達成行動計画無償配布・販売サーバーを検索
２３０  ユーザーの目標に適合する目標達成行動計画を無償入手または購入する
２３５  ユーザー自身の環境に合った行動計画を入手済み目標達成行動計画を取り込んだり自身によって作成する
２４０  ユーザー自身の計画作成にあたって、入手済み目標達成行動計画にあらかじめ登録されている連絡先や広告宣伝を参照したり、自分自身の作成する行動計画アクティビティ等に設定する
２４５  ユーザー自身の計画作成にあたって、入手済み目標達成行動計画にあらかじめ登録されている関連商品やサービスを参照、購入したり、自分自身の作成する行動計画アクティビティ等に計画時情報または実施時情報として設定する
２５０  ユーザー自身が作成した目標達成行動計画を目標達成行動計画無償配布・販売サーバーに登録するかどうか判断
２５５  ユーザー自身が作成した目標達成行動計画を目標達成行動計画無償配布・販売サーバーに登録する
２６０  目標達成行動計画作成の終了
３０５  目標達成行動計画実施の開始
３１０  目標達成行動計画実施ソフトウエアを起動する
３１５  既に所有している自作／入手済みの目標達成行動計画を使用するか、目標達成行動計画を新たに目標達成行動計画無償配布・販売サーバーから入手して使用するかを判断する
３２０  既に所有している目標達成行動計画ファイルを目標達成行動計画実施ソフトウエアから開く
３２５  実施したい目標達成行動計画を目標達成行動計画無償配布・販売サーバーを検索して検討する
３３０  実施したい目標達成行動計画を目標達成行動計画無償配布・販売サーバーから入手し、目標達成行動計画実施ソフトウエアによって開く
３３５  使用している目標達成行動計画に基づいて具体的な活動を実施し、その活動に関する情報を必要に応じて、目標達成行動計画実施ソフトウエアでアクティビティ実施情報として設定していく
３４０  目標達成行動計画実施にあたって、実施している目標達成行動計画にあらかじめ登録されている連絡先や広告宣伝を参照し、活用する
３４５  目標達成行動計画実施にあたって、実施している目標達成行動計画にあらかじめ登録されている商品やサービスを必要に応じて購入する
３５０  目標達成行動計画実施にあたって、設定している進捗情報ほか、サーバー上のデータなどと合わせて、進捗管理・促進のための情報を目標達成行動計画を実施してるユーザーに向けて提供する
３５５  実施している目標達成行動計画について、その進捗状況の情報を公開し、関連した情報交換を行っていくか、公開をせずに目標達成行動計画の実施を進めていくか判断する
３６０  目標達成行動計画の実施状況に関する情報を「目標達成行動家一句
３６５  実施している目標達成行動計画が、終了しているかどうかを判断する
３７０  実施している目標達成行動計画が終了したかどうかの判断の結果、終了していないなのであれば、「目標達成行動計画アクティビティ実施情報設定」へ戻り、次のアクティビティを開始する
４１０  各行動を表すノード
４２０  各行動の実施順序関係を特定する矢印
５１０  各行動とその期間を表すノード
５２０  各行動の実施順序関係を特定する矢印
６１０  各行動の実施時間を表すノード
７１０  手順リストのフォーマット
８１０  チェックリストのフォーマット
９１０  階層構造によるアウトライン・トピック表現
１０１０  産能大式業務フロー図による業務フロー表現
１１１０  目標達成行動計画配信・販売サーバーから入手した目標達成行動計画データ
１１２０  目標達成行動計画配信・販売サーバーから入手した目標達成行動計画データの利用ユーザーに対するモジュール・シンボル表現例
１２１０  ユーザー（ａ）が自身で作成した目標達成行動計画アクティビティ
１２２０  分解してユーザー（ａ）の作成する目標達成行動計画に取り込まれている、目標達成行動計画配信・販売サーバーからユーザー入手した、他者（ｂ）の作成した目標達成行動計画アクティビティ
【図１】
2007328752.tif 000003
【図２】
2007328752.tif 000004
【図３】
2007328752.tif 000005
【図４】
2007328752.tif 000006
【図５】
2007328752.tif 000007
【図６】
2007328752.tif 000008
【図７】
2007328752.tif 000009
【図８】
2007328752.tif 000010
【図９】
2007328752.tif 000011
【図１０】
2007328752.tif 000012
【図１１】
2007328752.tif 000013
【図１２】
2007328752.tif 000014